(57)【要約】【課題】単体でカメラとして機能するカメラ本体が眼科装置本体に装着されて構成された眼科装置であって、カメラ本体から外部へと画像ファイルを伝送することなく、カメラ本体に内蔵された内蔵記憶部に格納する画像ファイルにおける画像データに経過時間情報を対応付けることのできる眼科装置を提供する。【解決手段】眼科装置本体１３にカメラ本体（１６）が装着された眼科装置１０である。眼科装置本体１３に内蔵された本体制御部（３１）は、撮影動作開始操作部が操作されると、撮影動作開始操作部が操作された時点の本体カレンダ機能部３２の本体カレンダ情報をカメラ制御部（４１）に送信し、カメラ制御部（４１）は、本体カレンダ情報を受け取るとその本体カレンダ情報を任意の文字情報として登録し、撮影機能部で取得した画像データＤｐに合わせて撮影日時情報および任意の文字情報を付属情報として記述した画像ファイルＦｐを生成し、内蔵記憶部（４５）に格納する。【選択図】図６
2011083507.tif 000002
【特許請求の範囲】
【請求項１】
被検眼の眼底の画像の取得のための撮影光学系が内蔵された眼科装置本体に、前記撮影光学系を利用して前記眼底画像を取得すべく単体でカメラとして機能するカメラ本体が装着された眼科装置であって、
前記カメラ本体は、画像データを取得するための撮影機能部と、該撮影機能部で取得した前記画像データに合わせて撮影日時情報および任意の文字情報を付属情報として記述した画像ファイルを生成するカメラ制御部と、該カメラ制御部により生成された前記画像ファイルが格納される内蔵記憶部と、を有し、
前記眼科装置本体は、計時により本体カレンダ情報を生成する本体カレンダ機能部と、前記カメラ制御部との情報の授受が可能であり前記眼底画像の取得のために前記撮影光学系を制御する本体制御部と、撮影動作開始の操作のための撮影動作開始操作部と、を有し、
前記本体制御部は、前記撮影動作開始操作部が操作されると、該撮影動作開始操作部が操作された時点の前記本体カレンダ情報を前記カメラ制御部に送信し、
該カメラ制御部は、前記本体カレンダ情報を受け取ると該本体カレンダ情報を前記任意の文字情報として登録することを特徴とする眼科装置。
【請求項２】
被検眼の眼底の画像の取得のための撮影光学系が内蔵された眼科装置本体に、前記撮影光学系を利用して前記眼底画像を取得すべく単体でカメラとして機能するカメラ本体が装着された眼科装置であって、
前記カメラ本体は、計時によりカメラカレンダ情報を生成するカメラカレンダ機能部と、画像データを取得するための撮影機能部と、該撮影機能部で取得した前記画像データに合わせて前記カメラカレンダ情報に基づく撮影日時情報および任意の文字情報を付属情報として記述可能な画像ファイルを生成するカメラ制御部と、該カメラ制御部により生成された前記画像ファイルが格納される内蔵記憶部と、を有し、
前記眼科装置本体は、計時により本体カレンダ情報を生成する本体カレンダ機能部と、前記カメラ制御部との情報の授受が可能であり前記眼底画像の取得のために前記撮影光学系を制御する本体制御部と、撮影動作開始の操作のための撮影動作開始操作部と、撮影実行の操作のための撮影実行操作部と、を有し、
前記本体制御部は、前記撮影動作開始操作部が操作されると、前記本体カレンダ機能部から取得した前記撮影動作開始操作部が操作された時点の前記本体カレンダ情報を前記カメラ制御部に送信し、かつ前記撮影実行操作部が操作されると撮影実行信号を前記カメラ制御部に送信し、
該カメラ制御部は、前記本体カレンダ情報を受け取ると、該本体カレンダ情報を前記任意の文字情報として登録し、前記撮影実行信号を受信すると、前記撮影機能部で取得した前記画像データに合わせて前記撮影日時情報および登録した前記本体カレンダ情報を付属情報として記述した画像ファイルを生成して前記内蔵記憶部に格納することを特徴とする眼科装置。
【請求項３】
被検眼の眼底の画像の取得のための撮影光学系が内蔵された眼科装置本体に、前記撮影光学系を利用して前記眼底画像を取得すべく単体でカメラとして機能するカメラ本体が装着された眼科装置であって、
前記カメラ本体は、画像データを取得するための撮影機能部と、該撮影機能部で取得した前記画像データおよび該画像データに対応させた撮影日時情報および任意の文字情報の付属情報データを生成するカメラ制御部と、該カメラ制御部により生成された前記画像データおよび前記付属情報データが格納される内蔵記憶部と、を有し、
前記眼科装置本体は、計時により本体カレンダ情報を生成する本体カレンダ機能部と、前記カメラ制御部との情報の授受が可能であり前記眼底画像の取得のために前記撮影光学系を制御する本体制御部と、撮影動作開始の操作のための撮影動作開始操作部と、を有し、
前記本体制御部は、前記撮影動作開始操作部が操作されると、前記撮影動作開始操作部が操作された時点の前記本体カレンダ情報を前記カメラ制御部に送信し、
該カメラ制御部は、前記本体カレンダ情報を受け取ると該本体カレンダ情報を前記任意の文字情報として登録することを特徴とする眼科装置。
【請求項４】
前記内蔵記憶部は、前記カメラ本体の外部からの挿脱が可能とされた記憶媒体であることを特徴とする請求項１ないし請求項３のいずれか１項に記載の眼科装置。
【請求項５】
前記本体制御部は、起動されると、前記本体カレンダ機能部が計時している前記本体カレンダ情報を、前記カメラ本体の撮影日時情報に一致させることを特徴とする請求項１ないし請求項４のいずれか１項に記載の眼科装置。
【請求項６】
前記眼科装置本体は、撮影動作終了の操作のための撮影動作終了操作部を有し、
前記本体制御部は、前記撮影動作終了操作部が操作されると、撮影動作が継続中ではないことを示す初期状態表示情報を前記カメラ制御部に送信し、
該カメラ制御部は、前記初期状態表示情報を受け取ると、前記任意の文字情報として登録した前記本体カレンダ情報に代えて前記初期状態表示情報を登録することを特徴とする請求項１ないし請求項５のいずれか１項に記載の眼科装置。
【発明の詳細な説明】
【技術分野】
【０００１】
本発明は、カメラ本体が眼科装置本体に装着されて構成され、蛍光撮影が可能な眼科装置に関する。
【背景技術】
【０００２】
眼科装置では、眼底画像の取得のための撮影光学系が内蔵された眼科装置本体に、その撮影光学系を利用して眼底画像を取得するために単体でカメラとして機能するカメラ本体が眼科装置本体に装着されて構成され、蛍光撮影が可能とされたものがある。このような眼科装置では、蛍光撮影を行うために、眼底カメラ専用の計時用内部回路（タイマー回路）と、眼科装置本体に接続された外部計時装置（外部タイマー装置）とを有するものが知られている（例えば、特許文献１参照）。この眼科装置では、例えば、患者への蛍光剤の静注と同時に眼底カメラ専用の計時用スイッチ（タイマースイッチ）を操作し、この計時用スイッチによる計時用内部回路の計時開始と同時に、外部計時装置の計時を開始させる構成となっている。
【先行技術文献】
【特許文献】
【０００３】
【特許文献１】特開２００９−７２２６６号公報
【発明の概要】
【発明が解決しようとする課題】
【０００４】
ところで、このような眼科装置では、カメラ本体として、単体でカメラとして機能するものであって、カメラ制御部の制御下において、取得した眼底画像の画像データを保存するための画像ファイルを生成し、その画像ファイルをカメラ本体に内蔵された内蔵記憶部（外部挿入型の記憶媒体を含む）に格納するものが装着されている。蛍光撮影では、眼底画像とその画像が取得された時点での経過時間情報とが対応付けられていることが求められるが、カメラ本体には一般的に経過時間情報を対応付ける機能が搭載されていないため、内蔵記憶部に格納された画像ファイルでは画像データに経過時間情報が対応付けられていない。
【０００５】
ここで、眼科装置では、画像ファイルの情報を、カメラ本体の内蔵記憶部から眼科装置本体またはそこに接続された外部計時装置へと伝送し、眼科装置本体または外部計時装置において当該画像ファイルを編集すれば、画像ファイルにおいて画像データに経過時間情報を対応付けることはできる。
【０００６】
しかしながら、例えば、沢山の眼底画像を取得した場合、各画像データに経過時間情報を対応付けることは煩雑な作業であることや、カメラ本体の内蔵記憶部が外部挿入型の記憶媒体である場合、その記憶媒体をカメラ本体から抜き出して、当該眼科装置とは別の表示装置に記憶媒体に格納された画像データを表示させようとしても、その画像データに対応する経過時間情報を得ることができなくなってしまうことから、内蔵記憶部に格納される画像ファイルにおける画像データに経過時間情報が対応付けられていることが望ましい。
【０００７】
本発明は、上記の事情に鑑みて為されたもので、その目的は、単体でカメラとして機能するカメラ本体が眼科装置本体に装着されて構成された眼科装置であって、カメラ本体から外部へと画像ファイルを伝送することなく、カメラ本体に内蔵された内蔵記憶部に格納する画像ファイルにおける画像データに経過時間情報を対応付けることのできる眼科装置を提供することにある。
【課題を解決するための手段】
【０００８】
請求項１に記載の発明は、被検眼の眼底の画像の取得のための撮影光学系が内蔵された眼科装置本体に、前記撮影光学系を利用して前記眼底画像を取得すべく単体でカメラとして機能するカメラ本体が装着された眼科装置であって、前記カメラ本体は、画像データを取得するための撮影機能部と、該撮影機能部で取得した前記画像データに合わせて撮影日時情報および任意の文字情報を付属情報として記述した画像ファイルを生成するカメラ制御部と、該カメラ制御部により生成された前記画像ファイルが格納される内蔵記憶部と、を有し、前記眼科装置本体は、計時により本体カレンダ情報を生成する本体カレンダ機能部と、前記カメラ制御部との情報の授受が可能であり前記眼底画像の取得のために前記撮影光学系を制御する本体制御部と、撮影動作開始の操作のための撮影動作開始操作部と、を有し、前記本体制御部は、前記撮影動作開始操作部が操作されると、該撮影動作開始操作部が操作された時点の前記本体カレンダ情報を前記カメラ制御部に送信し、該カメラ制御部は、前記本体カレンダ情報を受け取ると該本体カレンダ情報を前記任意の文字情報として登録することを特徴とする。
【０００９】
請求項２に記載の発明は、被検眼の眼底の画像の取得のための撮影光学系が内蔵された眼科装置本体に、前記撮影光学系を利用して前記眼底画像を取得すべく単体でカメラとして機能するカメラ本体が装着された眼科装置であって、前記カメラ本体は、計時によりカメラカレンダ情報を生成するカメラカレンダ機能部と、画像データを取得するための撮影機能部と、該撮影機能部で取得した前記画像データに合わせて前記カメラカレンダ情報に基づく撮影日時情報および任意の文字情報を付属情報として記述可能な画像ファイルを生成するカメラ制御部と、該カメラ制御部により生成された前記画像ファイルが格納される内蔵記憶部と、を有し、前記眼科装置本体は、計時により本体カレンダ情報を生成する本体カレンダ機能部と、前記カメラ制御部との情報の授受が可能であり前記眼底画像の取得のために前記撮影光学系を制御する本体制御部と、撮影動作開始の操作のための撮影動作開始操作部と、撮影実行の操作のための撮影実行操作部と、を有し、前記本体制御部は、前記撮影動作開始操作部が操作されると、前記本体カレンダ機能部から取得した前記撮影動作開始操作部が操作された時点の前記本体カレンダ情報を前記カメラ制御部に送信し、かつ前記撮影実行操作部が操作されると撮影実行信号を前記カメラ制御部に送信し、該カメラ制御部は、前記本体カレンダ情報を受け取ると、該本体カレンダ情報を前記任意の文字情報として登録し、前記撮影実行信号を受信すると、前記撮影機能部で取得した前記画像データに合わせて前記撮影日時情報および登録した前記本体カレンダ情報を付属情報として記述した画像ファイルを生成して前記内蔵記憶部に格納することを特徴とする。
【００１０】
請求項３に記載の眼科装置は、被検眼の眼底の画像の取得のための撮影光学系が内蔵された眼科装置本体に、前記撮影光学系を利用して前記眼底画像を取得すべく単体でカメラとして機能するカメラ本体が装着された眼科装置であって、前記カメラ本体は、画像データを取得するための撮影機能部と、該撮影機能部で取得した前記画像データおよび該画像データに対応させた撮影日時情報および任意の文字情報の付属情報データを生成するカメラ制御部と、該カメラ制御部により生成された前記画像データおよび前記付属情報データが格納される内蔵記憶部と、を有し、前記眼科装置本体は、計時により本体カレンダ情報を生成する本体カレンダ機能部と、前記カメラ制御部との情報の授受が可能であり前記眼底画像の取得のために前記撮影光学系を制御する本体制御部と、撮影動作開始の操作のための撮影動作開始操作部と、を有し、前記本体制御部は、前記撮影動作開始操作部が操作されると、前記撮影動作開始操作部が操作された時点の前記本体カレンダ情報を前記カメラ制御部に送信し、該カメラ制御部は、前記本体カレンダ情報を受け取ると該本体カレンダ情報を前記任意の文字情報として登録することを特徴とする。
【００１１】
請求項４に記載の発明は、請求項１ないし請求項３のいずれか１項に記載の眼科装置であって、前記内蔵記憶部は、前記カメラ本体の外部からの挿脱が可能とされた記憶媒体であることを特徴とする。
【００１２】
請求項５に記載の発明は、請求項１ないし請求項４のいずれか１項に記載の眼科装置であって、前記本体制御部は、起動されると、前記本体カレンダ機能部が計時している前記本体カレンダ情報を、前記カメラ本体の撮影日時情報に一致させることを特徴とする。
【００１３】
請求項６に記載の発明は、請求項１ないし請求項５のいずれか１項に記載の眼科装置であって、前記眼科装置本体は、撮影動作終了の操作のための撮影動作終了操作部を有し、前記本体制御部は、前記撮影動作終了操作部が操作されると、撮影動作が継続中ではないことを示す初期状態表示情報を前記カメラ制御部に送信し、該カメラ制御部は、前記初期状態表示情報を受け取ると、前記任意の文字情報として登録した前記本体カレンダ情報に代えて前記初期状態表示情報を登録することを特徴とする。
【発明の効果】
【００１４】
本発明の眼科装置によれば、単体でカメラとして機能するカメラ本体が眼科装置本体に装着されて構成された眼科装置であって、カメラ本体から外部へと画像ファイルを伝送することなく、カメラ本体に内蔵された内蔵記憶部に格納する画像ファイルにおける画像データに経過時間情報を対応付けることができる。
【００１５】
また、被検眼の眼底の画像の取得のための撮影光学系が内蔵された眼科装置本体に、前記撮影光学系を利用して前記眼底画像を取得すべく単体でカメラとして機能するカメラ本体が装着された眼科装置であって、前記カメラ本体は、計時によりカメラカレンダ情報を生成するカメラカレンダ機能部と、画像データを取得するための撮影機能部と、該撮影機能部で取得した前記画像データに合わせて前記カメラカレンダ情報に基づく撮影日時情報および任意の文字情報を付属情報として記述可能な画像ファイルを生成するカメラ制御部と、該カメラ制御部により生成された前記画像ファイルが格納される内蔵記憶部と、を有し、前記眼科装置本体は、計時により本体カレンダ情報を生成する本体カレンダ機能部と、前記カメラ制御部との情報の授受が可能であり前記眼底画像の取得のために前記撮影光学系を制御する本体制御部と、撮影動作開始の操作のための撮影動作開始操作部と、撮影実行の操作のための撮影実行操作部と、を有し、前記本体制御部は、前記撮影動作開始操作部が操作されると、前記本体カレンダ機能部から取得した前記撮影動作開始操作部が操作された時点の前記本体カレンダ情報を前記カメラ制御部に送信し、かつ前記撮影実行操作部が操作されると撮影実行信号を前記カメラ制御部に送信し、該カメラ制御部は、前記本体カレンダ情報を受け取ると、該本体カレンダ情報を前記任意の文字情報として登録し、前記撮影実行信号を受信すると、前記撮影機能部で取得した前記画像データに合わせて前記撮影日時情報および登録した前記本体カレンダ情報を付属情報として記述した画像ファイルを生成して前記内蔵記憶部に格納することとすると、単体でカメラとして機能するカメラ本体が眼科装置本体に装着されて構成された眼科装置であって、カメラ本体から外部へと画像ファイルを伝送することなく、カメラ本体に内蔵された内蔵記憶部に格納する画像ファイルにおける画像データに経過時間情報を対応付けることができる。
【００１６】
さらに、被検眼の眼底の画像の取得のための撮影光学系が内蔵された眼科装置本体に、前記撮影光学系を利用して前記眼底画像を取得すべく単体でカメラとして機能するカメラ本体が装着された眼科装置であって、前記カメラ本体は、画像データを取得するための撮影機能部と、該撮影機能部で取得した前記画像データおよび該画像データに対応させた撮影日時情報および任意の文字情報の付属情報データを生成するカメラ制御部と、該カメラ制御部により生成された前記画像データおよび前記付属情報データが格納される内蔵記憶部と、を有し、前記眼科装置本体は、計時により本体カレンダ情報を生成する本体カレンダ機能部と、前記カメラ制御部との情報の授受が可能であり前記眼底画像の取得のために前記撮影光学系を制御する本体制御部と、撮影動作開始の操作のための撮影動作開始操作部と、を有し、前記本体制御部は、前記撮影動作開始操作部が操作されると、前記撮影動作開始操作部が操作された時点の前記本体カレンダ情報を前記カメラ制御部に送信し、該カメラ制御部は、前記本体カレンダ情報を受け取ると該本体カレンダ情報を前記任意の文字情報として登録することとすると、単体でカメラとして機能するカメラ本体が眼科装置本体に装着されて構成された眼科装置であって、カメラ本体から外部へと画像データおよび付属情報データを伝送することなく、カメラ本体に内蔵された内蔵記憶部に格納する画像データに付属情報データ（経過時間情報）を対応付けることができる。
【００１７】
上記した構成に加えて、前記内蔵記憶部は、前記カメラ本体の外部からの挿脱が可能とされた記憶媒体であることとすると、記憶媒体をカメラ本体から引き抜き、その記憶媒体に格納された画像データを他の表示装置で表示した場合であっても、その画像データをそれに対応した経過時間情報とを得ることができる。
【００１８】
上記した構成に加えて、前記本体制御部は、起動されると、前記本体カレンダ機能部が計時している前記本体カレンダ情報を、前記カメラ本体の撮影日時情報に一致させることとすると、何らの操作を要することなく、画像データに対応付けられた経過時間情報をより適切なものとすることができる。
【００１９】
上記した構成に加えて、前記眼科装置本体は、撮影動作終了の操作のための撮影動作終了操作部を有し、前記本体制御部は、前記撮影動作終了操作部が操作されると、撮影動作が継続中ではないことを示す初期状態表示情報を前記カメラ制御部に送信し、該カメラ制御部は、前記初期状態表示情報を受け取ると、前記任意の文字情報として登録した前記本体カレンダ情報に代えて前記初期状態表示情報を登録することとすると、撮影動作開始操作部を操作せずに行われた他の撮影の際に、当該他の撮影の画像データの保存のための画像ファイルには、任意の文字情報として登録された初期状態表示情報が付属情報として記述されることとなるので、当該他の撮影の画像データに不適切な任意の文字情報を対応付けることを防止することができる。
【図面の簡単な説明】
【００２０】
【図１】本発明に係る眼科装置を模式的に示す斜視図である。
【図２】眼科装置におけるにおける眼科装置本体と撮影用ＣＣＤカメラとに内蔵された制御系を示す電気ブロック図である。
【図３】実施例１の撮影用ＣＣＤカメラが生成する画像ファイルの構造を説明するために模式的に示す説明図である。
【図４】眼科装置本体に内蔵されたＭＰＵにおける蛍光撮影動作の制御処理の内容の一例を示すフローチャートである。
【図５】撮影用ＣＣＤカメラに内蔵されたカメラＣＰＵにおける撮影動作の制御処理の内容の一例を示すフローチャートである。
【図６】眼科装置による蛍光撮影動作における概念を時系列で示す説明図である。
【図７】本発明に係る眼科装置に装着された撮影用ＣＣＤカメラにより生成された画像ファイルに基づいて観察モニタに表示された眼底画像を模式的に示す説明図であり、（ａ）は、眼底画像に、その撮影日時情報およびユーザーコメント情報が重ねられて表示された様子を示し、（ｂ）は、眼底画像に、その経過時間情報が重ねられて表示された様子を示す。
【図８】時刻合わせの他の方法の概念を時系列で示す説明図である。
【発明を実施するための形態】
【００２１】
以下に、本発明に係る眼科装置の発明の実施の形態を図面を参照しつつ説明する。
【実施例１】
【００２２】
実施例１の眼科装置１０は、通常の眼底撮影機能に加えて、蛍光撮影機能を搭載したものであり、本実施例では、図示は略すが、フルオレセイン蛍光眼底造影（ＦＡ）およびインドシアニングリーン蛍光眼底造影（ＩＡ）（蛍光眼底造影血管撮影）の実行が可能とされている。ここでいう通常の眼底撮影とは、被検眼の眼底画像を取得するもの（例えば、カラー眼底撮影等）であって、上記した蛍光撮影を除くものをいう。この眼科装置１０は、図１に示すように、装置ベース１１と、架台部１２と、眼科装置本体１３と、顎受け１４と、外部固視標１５と、撮影用ＣＣＤカメラ１６（カメラ本体）と、を備える。
【００２３】
装置ベース１１は、図示は略すが、電源部、顎受けＰＣＢ、移動機構等を収容しており、装置テーブルに水平に設置される。なお、「ＰＣＢ」とは、Ｐｒｉｎｔｅｄ  Ｃｉｒｃｕｉｔ  Ｂｏａｒｄの略であり、ＩＣ等によるプリント基板のことをいう。また、上記した移動機構は、架台部１２の動作のためのものである。
【００２４】
その架台部１２は、上記した移動機構により、装置ベース１１に対して左右方向・前後方向・上下方向に移動可能に設けられている。この架台部１２の検者側の位置には、タイマースイッチ１７、コントロールレバー１８、その先端の撮影スイッチ１９、切替スイッチ２０と、操作パネル（図示せず）等が設けられている。このタイマースイッチ１７は、蛍光撮影動作の開始およびその終了を指示する、すなわち蛍光撮影を開始した時点からの経過時間の計時の開始およびその終了を指示するものであり、撮影動作開始操作部および撮影動作終了操作部として機能する。ここで、蛍光撮影では、例えば静注により被検者に蛍光剤を投与した時点からの経過時間に応じて複数回に渡り眼底画像の撮影を行うことから、本実施例では、眼科装置１０におけるこの一連の流れを蛍光撮影動作といい、タイマースイッチ１７が押圧操作されることにより蛍光撮影のための計時を開始した時点を蛍光撮影動作の開始という。このため、検者は、経過時間の計時の基準となる蛍光剤を投与した時点で、タイマースイッチ１７を押圧操作することにより、眼科装置１０における蛍光撮影に伴う機能（計時およびその計時情報の画像ファイルへの記述等）を利用することができる。また、以下では、撮影用ＣＣＤカメラ１６により眼底画像を撮影（取得）することを、上記した蛍光撮影動作と区別するために、撮影の実行という。
【００２５】
コントロールレバー１８は、傾倒操作および回転操作により、装置ベース１１に対し架台部１２および眼科装置本体１３の駆動方向、駆動量、駆動速度を指示するものである。すなわち、コントロールレバー１８が前後方向に傾倒されると架台部１２および眼科装置本体１３を被検眼Ｅ（被検者）に対して接近／離間させる（図１の矢印Ｚ参照）指示となり、コントロールレバー１８が左右方向に傾倒されると架台部１２および眼科装置本体１３を被検眼Ｅの眼幅方向に移動させる（図１の矢印Ｘ参照）指示となり、コントロールレバー１８が左右回り方向に回転されると架台部１２および眼科装置本体１３を上下方向に移動させる（図１の矢印Ｙ参照）指示となる。このため、検者は、コントロールレバー１８を傾倒操作および回転操作することにより、後述するように顎受け１４に保持された被検者（図示せず）に適合する位置へと架台部１２および眼科装置本体１３を装置ベース１１に対して三次元方向に移動させることができる。
【００２６】
撮影スイッチ１９は、コントロールレバー１８の上端部位置に設けられ、検者が押し込むスイッチ操作を行うことで、眼底の撮影シャッタースイッチとなる。なお、撮影スイッチ１９は、撮影機能以外に、レビュー解除やパワーセーブ解除も行う。
【００２７】
切替スイッチ２０は、後述する通常の眼底撮影を行う通常撮影モードと、眼底の蛍光撮影を行う蛍光撮影モードと、の切り替えを指示するものである。この実施例１では、通常撮影モードであるときに切替スイッチ２０が押圧されると蛍光撮影モードに切り替え、蛍光撮影モードであるときに切替スイッチ２０が押圧されると通常撮影モードに切り替えるものとされている。なお、この切替スイッチ２０は、通常撮影モードへの切り替え用のスイッチと、蛍光撮影モードへの切り替え用のスイッチと、が別個に設けられているものであってもよい。
【００２８】
眼科装置本体１３は、架台部１２の上部に一体的に設けられ、側部位置には合焦ハンドル２１が設けられている。また、この眼科装置本体１３の検者側位置には、観察モニタ２２が設けられている。この観察モニタ２２は、測定結果、演算結果、解析結果や、操作者がデータを入力、指示するためのウインドウ、被検眼の画像、眼底画像等を表示する。観察モニタ２２は、後述するＭＰＵ３１の制御下で、適宜表示を行う。
【００２９】
この眼科装置本体１３には、図示は略すが、通常の眼底撮影のための撮影光学系に加えて、蛍光撮影のための撮影光学系が内蔵されている。これらの撮影光学系は、眼底の撮影光束を観察モニタ２２用の撮像素子（図示せず）および撮影用ＣＣＤカメラ１６の撮影機能部（撮像用受光素子４３（図２参照））へと導くことが可能な構成とされている。眼科装置本体１３では、後述するＭＰＵ３１の制御下で、切替スイッチ２０への切り替え操作に応じて、何れの撮影光学系を経た眼底の撮影光束を、観察モニタ２２用の撮像素子（図示せず）および撮影用ＣＣＤカメラ１６の撮影機能部（撮像用受光素子４３（図２参照））へと導くかの選択が可能とされている。ここで、以下では、通常の眼底撮影のための撮影光学系が選択された状態を通常撮影モードといい、蛍光撮影のための撮影光学系が選択された状態を蛍光撮影モードという。
【００３０】
顎受け１４は、装置ベース１１に対し上下方向の位置が調整可能に設けられたもので、被検者（図示せず）の顎と額を受けて顔を保持することにより、当該被検者の被検眼Ｅ（図７参照）の位置を固定させる。この顎受け１４には、被検者の視線を固定するための外部固視標１５が設けられている。
【００３１】
撮影用ＣＣＤカメラ１６は、眼科装置本体１３の上部位置に外付けにて設けられ、前述した眼科装置本体１３の撮影光学系（図示せず）を利用して眼底のフラッシュ撮影を行う。この撮影用ＣＣＤカメラ１６としては、外部からメモリーカード（この例では、ＳＤカード４５（図２参照））が挿入可能とされ、画像ファイルＦｐ（図３等参照）をその挿入されたＳＤカード４５に格納する構成の市販のＡＰＳサイズのデジタルカメラが用いられる。このため、撮影用ＣＣＤカメラ１６は、単体でカメラとして機能するものである。また、撮影用ＣＣＤカメラ１６は、装置ベース１１に内蔵した電源部（図示せず）から電力供給を受ける。
【００３２】
次に、この眼科装置１０における眼科装置本体１３と撮影用ＣＣＤカメラ１６とに内蔵された電気制御系の構成を説明する。図２は、実施例１の眼科装置１０におけるにおける眼科装置本体１３と撮影用ＣＣＤカメラ１６とに内蔵された制御系を示す電気ブロック図である。
【００３３】
眼科装置本体１３には、図２に示すように、ＭＰＵ（Ｍｉｃｒｏ  Ｐｒｏｃｅｓｓｉｎｇ  Ｕｎｉｔ）３１が内蔵されており、そこに本体カレンダ機能部３２と、操作部３３とが接続されている。なお、この眼科装置本体１３では、上記した撮影光学系（図示せず）による撮影および観察を行うのに必要な各種の回路構成要素、各種スイッチおよび発光素子等の光学的要素、機械制御要素等の統括的な制御のためにそれらがＭＰＵ３１に接続されて構成されているが、この発明の説明に関係しない各構成要素については図示および説明を省略する。
【００３４】
ＭＰＵ３１は、眼科装置本体１３の動作を統括的に制御するものであり、本体制御部として機能する。このＭＰＵ３１には、本体メモリ３４が設けられている。この本体メモリ３４は、眼科装置１０における各種の機能のための制御用プログラムや、各種制御を実行する際に必要な情報や、被検眼Ｅに関するデータ、測定における設定データ等を格納するとともに、その格納した情報等を適宜引き出し可能とされている。ＭＰＵ３１は、本体カレンダ機能部３２による本体カレンダ情報（図６の符号Ｃｍ参照）を適宜読み出して利用するとともに、操作部３３からの操作情報に応じて各種制御を実行する。このＭＰＵ３１は、ＵＳＢ等のインターフェースモジュール３５を介して、撮影用ＣＣＤカメラ１６のカメラＣＰＵ４１との間で信号（情報も含む）の授受が可能とされている。
【００３５】
また、本実施例のＭＰＵ３１は、撮影用ＣＣＤカメラ１６へと挿入される記憶媒体（ＳＤカード４５）に格納された各画像ファイルＦｐの画像データＤｐ（図３参照）に基づいて、眼底画像Ｐｆを観察モニタ２２に表示させることができる（図７参照）。このとき、ＭＰＵ３１は、眼底画像Ｐｆに重ねて、その画像データＤｐの保存のための画像ファイルＦｐ（図３参照）に記述された撮影日時情報Ｉｔとユーザーコメント情報Ｉｕとを表示させる（図７（ａ）参照）。ＭＰＵ３１による記憶媒体（ＳＤカード４５）に格納された各画像ファイルＦｐの情報の取得は、カメラＣＰＵ４１からインターフェースモジュール３５を介して伝送されることより得るものであってもよく、撮影用ＣＣＤカメラ１６から取り出した記憶媒体（ＳＤカード４５）を眼科装置本体１３の挿入口(図示せず)挿し込むことにより読み出すものであってもよい。
【００３６】
この本体カレンダ機能部３２は、自ら時間を計時（カウント）することにより暦情報や時刻情報を生成するものであり、ＭＰＵ３１により計時時刻の修正が可能とされている。
【００３７】
操作部３３は、検者が眼科装置本体１３を利用するために操作するものであり、上述したタイマースイッチ１７、コントロールレバー１８、撮影スイッチ１９および切替スイッチ２０と等が該当する。図２では、本発明の説明に必要なタイマースイッチ１７、撮影スイッチ１９および切替スイッチ２０のみを示している。操作部３３は、図示は略すが自らに為された物理的な操作に応じた信号をＭＰＵ３１に出力する構成とされている。
【００３８】
撮影用ＣＣＤカメラ１６は、カメラＣＰＵ（Ｃｅｎｔｒａｌ  Ｐｒｏｃｅｓｓｉｎｇ  Ｕｎｉｔ）４１と、カメラカレンダ機能部４２と、撮像用受光素子４３と、を有する。なお、この撮影用ＣＣＤカメラ１６では、撮影を行うのに必要な各種の回路構成要素、各種スイッチおよび発光素子等の光学的要素、機械制御要素等がカメラＣＰＵ４１に接続されて構成されているが、この発明の説明に関係しない各構成要素については図示および説明を省略する。
【００３９】
カメラＣＰＵ４１は、撮影用ＣＣＤカメラ１６の動作を統括的に制御するものであり、カメラ制御部として機能する。このカメラＣＰＵ４１には、カメラメモリ４４が設けられている。このカメラメモリ４４は、撮影用ＣＣＤカメラ１６における各種の機能のための制御用プログラムや、各種制御を実行する際に必要な情報や、後述するユーザーコメント情報Ｉｕとして登録された情報等を格納するとともに、その格納した情報等を適宜引き出し可能とされている。カメラＣＰＵ４１は、カメラカレンダ機能部４２によるカメラカレンダ情報（図６の符号Ｃｃ参照）を適宜読み出して利用するとともに、ＭＰＵ３１からの動作信号に応じて撮影動作を実行する。
【００４０】
そのカメラカレンダ機能部４２は、自ら時間をカウント（計時）することにより暦情報や時刻情報を生成するものである。
【００４１】
撮像用受光素子４３は、撮影用ＣＣＤカメラ１６における撮影動作のための撮影機能部、すなわち画像データを取得するための撮影機能部、の一部を構成するものであり、撮影用ＣＣＤカメラ１６に内蔵された撮影光学系（図示せず）を経て結像された被写体像を電気信号（画像データ）に変換してカメラＣＰＵ４１へと出力するものであり、ＣＣＤやＣＭＯＳ型イメージセンサ等で構成することができる。
【００４２】
この撮影用ＣＣＤカメラ１６では、カメラＣＰＵ４１の制御下において、撮影動作により画像ファイルＦｐを生成する。この画像ファイルＦｐには、図３に示すように、記憶するためのフォーマットとして、Ｅｘｉｆ（Ｅｘｃｈａｎｇｅａｂｌｅ  ｉｍａｇｅ  ｆｉｌｅ  ｆｏｒｍａｔ）の規格が採用されており、画像データＤｐに合わせて、撮影日時情報Ｉｔやユーザーコメント情報Ｉｕ等の付属情報が記述可能である。カメラＣＰＵ４１は、撮影動作を実行する際、ユーザーコメント情報Ｉｕとして予め登録された文字情報（後述する図５のステップＳ１３参照）をカメラメモリ４４から読み出し、当該文字情報を付属情報の１つのユーザーコメント情報Ｉｕとして撮像用受光素子４３からの画像データＤｐと合わせて画像ファイルＦｐを生成し、この画像ファイルＦｐをＳＤカード４５（図２参照）に格納する。ここで、画像ファイルＦｐに記述される文字情報とは、基本的には、本体カレンダ情報（経過時間情報）や後述する初期状態表示情報の認識を可能とするものであり、数字や記号等も含まれる概念をいう。カメラＣＰＵ４１は、ユーザーコメント情報Ｉｕとしての文字情報の登録のための操作が撮影用ＣＣＤカメラ１６に設けられた操作部（図示せず）に為される、またはユーザーコメント情報Ｉｕとしての文字情報（そのデータ）をＭＰＵ３１から受けると、ユーザーコメント情報Ｉｕとして登録すべく当該文字情報をカメラメモリ４４に格納する。このとき、本実施例では、ユーザーコメント情報Ｉｕとしての文字情報がカメラメモリ４４に既に格納されている場合、その文字情報に代えて新たな文字情報を登録すべく、その文字情報に新たな文字情報を上書きする。また、カメラＣＰＵ４１は、本実施例では、ユーザーコメント情報Ｉｕとしての文字情報がカメラメモリ４４に格納されている場合、その格納された文字情報をユーザーコメント情報Ｉｕとして記述するものとされている。
【００４３】
ここで、蛍光撮影では、撮影した眼底の画像を診断等に用いるにあたり、当該画像を取得した際の被検者に蛍光剤を投与（例えば静注）した時点からの経過時間の情報が必要である。本発明に係る眼科装置１０では、外付けカメラである撮影用ＣＣＤカメラ１６により取得した画像データの保存のための画像ファイルを、そこに挿入された記憶媒体であるＳＤカード４５に格納する際に、当該画像ファイルに蛍光撮影を開始した時点からの経過時間の情報を合わせて記述することができる。これについて以下で説明する。
【００４４】
図４は、眼科装置本体１３に内蔵されたＭＰＵ３１における蛍光撮影動作の制御処理の内容の一例を示すフローチャートである。図５は、撮影用ＣＣＤカメラ１６に内蔵されたカメラＣＰＵ４１における撮影動作の制御処理の内容の一例を示すフローチャートである。
【００４５】
眼科装置１０では、先ず、電源が入れられると、眼科装置本体１３側の本体カレンダ機能部３２と、撮影用ＣＣＤカメラ１６側のカメラカレンダ機能部４２と、の時刻合わせを行う。これは、後述するように、画像ファイルにおける経過時間情報は、カメラカレンダ機能部４２による撮影日時のカメラカレンダ情報と、本体カレンダ機能部３２による撮影開始時点での本体カレンダ情報と、によるものであるので、カメラカレンダ機能部４２と本体カレンダ機能部３２との時刻が一致している必要があることによる。この時刻合わせは、本実施例では、以下のように行う。
【００４６】
電源が入れられると、ＭＰＵ３１は、本体カレンダ機能部３２の本体カレンダ情報（図６の符号Ｃｍ参照）をカメラＣＰＵ４１に向けて送信する。ここで、上述したように、ＭＰＵ３１とカメラＣＰＵ４１とは、インターフェースモジュール３５を介して情報の遣り取りを行う構成とされているが、カレンダ情報の伝送に要する時間は極めて小さなものであるため、カメラＣＰＵ４１が本体カレンダ機能部３２の本体カレンダ情報を受信した時点は、ＭＰＵ３１が当該本体カレンダ情報を送信した時点と等しいものと扱うことができる。このため、カメラＣＰＵ４１は、受信した本体カレンダ機能部３２の本体カレンダ情報に基づいて、当該本体カレンダ機能部３２の時刻に一致させるように、カメラカレンダ機能部４２（カメラカレンダ情報）の時刻を修正する。これにより、カメラカレンダ機能部４２と本体カレンダ機能部３２との時刻合わせが終了する。
【００４７】
この後、検者は、眼科装置１０を用いて蛍光撮影を行うことができる。以下、この蛍光撮影の際のＭＰＵ３１における制御処理の一例である図４のフローチャートの各ステップについて説明する。このフローチャートは、切替スイッチ２０への操作により蛍光撮影モードとされている場合、もしくは蛍光撮影モードに切り替えられた場合に実行される。
【００４８】
ステップＳ１では、蛍光撮影のための計時の開始の合図があったか否かを判断し、Ｙｅｓの場合はステップＳ２へ進み、Ｎｏの場合はステップＳ３へ進む。このステップＳ１では、タイマースイッチ１７がＯＮ状態とされた（押圧された）か否かを判断することにより、蛍光撮影のための計時（蛍光撮影動作）の開始の合図があったか否かを判断する。また、実施例１では、ステップＳ２において、蛍光動作が開始された状態（蛍光撮影のための計時の実行中）であることを記憶する構成（例えば、専用のフラグの状態を切り替える等）とされている。これは、タイマースイッチ１７が、蛍光撮影動作の開始およびその終了を指示するために押圧操作される構成とされていることによる。すなわち、このフローチャートが開始されてから、タイマースイッチ１７がＯＮ状態とされたのが１回目である場合、蛍光撮影動作の開始すなわち蛍光撮影を開始した時点からの経過時間の計時の開始を意味するものであり、かつＯＮ状態とされたのが２回目である場合、蛍光撮影動作の終了すなわち蛍光撮影を開始した時点からの経過時間の計時の終了を意味するものとなることによる。
【００４９】
ステップＳ２では、ステップＳ１での蛍光撮影のための計時の開始の合図があったとの判断に続き、蛍光撮影のための計時開始の処理を行い、ステップＳ３へ進む。このステップＳ２では、蛍光撮影のための計時開始の処理として、本体カレンダ情報をユーザーコメント情報として登録させるために、タイマースイッチ１７がＯＮ状態とされた時点、すなわち蛍光撮影のための計時の開始の合図があった時点における本体カレンダ機能部３２の本体カレンダ情報（図６の符号Ｃｍ参照）を本体メモリ３４に格納するとともに、この格納した本体カレンダ情報（そのデータ）をカメラＣＰＵ４１へ向けて送信する。ここで、カメラＣＰＵ４１では、本体カレンダ機能部３２の本体カレンダ情報（図６の符号Ｃｍ参照）を受信すると、受け取った本体カレンダ情報をユーザーコメント情報として登録することになるが（図５のフローチャートのステップＳ１３参照）、これについては後述する図５のフローチャートの説明で詳細に述べる。
【００５０】
ステップＳ３では、ステップＳ１での蛍光撮影のための計時の開始の合図がないとの判断、あるいは、ステップＳ２での蛍光撮影のための計時開始の処理に続き、蛍光撮影のための計時の終了の合図があったか否かを判断し、Ｙｅｓの場合はステップＳ４へ進み、Ｎｏの場合はステップＳ５へ進む。このステップＳ３では、上述したように、タイマースイッチ１７が開始および終了の合図のための操作部とされていることから、蛍光動作が開始された状態でタイマースイッチ１７がＯＮ状態とされた（押圧された）か否か（タイマースイッチ１７に対して２回目の押圧操作が為されたか否か）を判断することにより、蛍光撮影のための計時（蛍光撮影動作）の終了の合図があったか否かを判断する。なお、タイマースイッチ１７とは別に、終了の合図のためのスイッチを設け、その終了スイッチがＯＮ状態とされた（押圧された）か否かを判断するものであってもよい。
【００５１】
ステップＳ４では、ステップＳ３での蛍光撮影のための計時の終了の合図があったとの判断に続き、蛍光撮影のための計時終了の処理を行い、このフローチャートを終了する。このステップＳ４では、蛍光撮影のための計時終了の処理として、初期状態を示す文字情報（以下では、初期状態表示情報（図６の符号Ｂｓ参照）という）（そのデータ）を、カメラＣＰＵ４１へ向けて送信するとともに、本体メモリ３４に格納している本体カレンダ情報を消去する。このため、蛍光撮影のための計時開始の処理が行われると（ステップＳ１）、その時点における本体カレンダ機能部３２の本体カレンダ情報（図６の符号Ｃｍ参照）が、蛍光撮影のための計時の終了の合図があるまでの間、本体メモリ３４に格納されたままである。この初期状態表示情報とは、初期状態であることを認識させる文字情報であり、本実施例では、複数のハイフンが連ねられて（“--------”）構成されている（図６の符号Ｂｓ参照）。この初期状態表示情報（図６の符号Ｂｓ参照）は、ＭＰＵ３１（眼科装置１０）において当初から設定されているものであってもよく、操作部３３への操作により適宜設定するものであってもよい。ここで、カメラＣＰＵ４１では、初期状態表示情報（図６の符号Ｂｓ参照）を受信したことに応じて、以降に生成する画像ファイルＦｐのユーザーコメント情報Ｉｕには初期状態表示情報（図６の符号Ｂｓ参照）を記述することになるが（図５のフローチャートのステップＳ１３、ステップＳ１４およびステップＳ１５参照）、これについては後述する図５のフローチャートの説明で詳細に述べる。
【００５２】
ステップＳ５では、ステップＳ３での蛍光撮影のための計時の終了の合図がなかったとの判断に続き、撮影実行の合図があったか否かを判断し、Ｙｅｓの場合はステップＳ６へ進み、Ｎｏの場合はステップＳ７へ進む。このステップＳ５では、撮影スイッチ１９がＯＮ状態とされた（押圧された）か否かを判断することにより、撮影実行の合図があったか否かを判断する。なお、このステップＳ５では、通常撮影モードであるか蛍光撮影モードであるかに拘らず、撮影スイッチ１９がＯＮ状態とされた（押圧された）か否かだけを判断する。
【００５３】
ステップＳ６では、ステップＳ５での撮影実行の合図があったとの判断に続き、撮影実行信号をカメラＣＰＵ４１へ向けて送信し、ステップＳ３へ戻る。このステップＳ６では、撮影用ＣＣＤカメラ１６に眼底を撮影させるべく、撮影を実行させるための撮影実行信号（図６の符号Ｓｐ参照）をカメラＣＰＵ４１へ向けて送信する。ここで、カメラＣＰＵ４１では、撮影実行信号を受信したことに応じて、眼底の撮影を実行することになるが（図５のフローチャートのステップＳ１４およびステップＳ１５参照）、これについては後述する図５のフローチャートの説明で詳細に述べる。
【００５４】
ステップＳ７では、ステップＳ５での撮影実行の合図がないとの判断、あるいは、ステップＳ６での撮影実行信号のカメラＣＰＵ４１への送信に続き、撮影モードを切り替える指示が出されたか否かを判断し、Ｙｅｓの場合はステップＳ８へ進み、Ｎｏの場合はステップＳ１へ戻る。このステップＳ７では、切替スイッチ２０がＯＮ状態とされた（押圧された）か否かを判断することにより、撮影モードを切り替える指示が出されたか否かを判断する。
【００５５】
ステップＳ８では、ステップＳ７での撮影モードを切り替える指示が出されたとの判断に続き、その撮影モードの切替に応じた処理を行い、ステップＳ１へ戻る。このステップＳ８では、ステップＳ７において、通常撮影モードであるときに切替スイッチ２０が押圧されると、蛍光撮影モードへの切り替えの指示であると判断し、蛍光撮影モードであるときに切替スイッチ２０が押圧されると、通常撮影モードへの切り替えの指示であると判断し、その撮影モードの切替に応じた処理を行う。この撮影モードの切替に応じた処理とは、通常撮影モードへの切り替えである場合、ステップＳ４と同様にカメラＣＰＵ４１へ向けて初期状態表示情報（図６の符号Ｂｓ参照）を送信する。また、撮影モードの切替に応じた処理とは、蛍光撮影モードへの切り替えである場合、カメラＣＰＵ４１へ向けて本体メモリ３４に格納している本体カレンダ情報（そのデータ）を送信する。これは、このフローチャートが実行される場面では蛍光撮影モードとされており、そのステップＳ８にて蛍光撮影モードへと切り替えられる場合には、ステップＳ７→ステップＳ８の流れを経ることにより通常撮影モードとされた後であるため、蛍光撮影のための計時（蛍光撮影動作）が開始された後であってカメラメモリ４４には初期状態表示情報（図６の符号Ｂｓ参照）が格納されていることによる（図５のフローチャートのステップＳ１３参照）。なお、この本体メモリ３４に格納している本体カレンダ情報は、上述したように、蛍光撮影のための計時開始の処理が行われた時点における本体カレンダ機能部３２の本体カレンダ情報であることから（ステップＳ２）、このフローチャートの開始により継続している蛍光撮影動作の開始時点を示すものである。また、ステップＳ８へと進んできた通常撮影モードの前に行われていた蛍光撮影モードにおいて、蛍光撮影のための計時（蛍光撮影動作）が開始されていない場合（ステップＳ１→ステップＳ３と進んだ場合）、本体メモリ３４には本体カレンダ情報が格納されていないので、カメラＣＰＵ４１へ向けて本体カレンダ情報（そのデータ）を送信することはない。このときは、蛍光撮影のための計時（蛍光撮影動作）が開始されていないことから、継続している蛍光撮影動作がないので問題となることはない。
【００５６】
次に、撮影の際のカメラＣＰＵ４１における制御処理の一例である図５のフローチャートの各ステップについて説明する。この図５のフローチャートの制御処理は、ＭＰＵ３１において上記した図４のフローチャートによる蛍光撮影の際の制御処理が実行されている間、カメラＣＰＵ４１により常に行われる。
【００５７】
ステップＳ１１では、ＭＰＵ３１から蛍光撮影実行信号を受信したか否かを判断し、Ｙｅｓの場合はステップＳ１４へ進み、Ｎｏの場合はステップＳ１２へ進む。このステップＳ１１では、撮影実行信号（図６の符号Ｓｐ参照）を受信すると撮影の実行とそれに伴う動作とのためにステップＳ１４へ進み、撮影実行信号を受信していない場合は、他の動作のためにステップＳ１２へ進む。
【００５８】
ステップＳ１２では、ステップＳ１１での撮影実行信号を受信していないとの判断に続き、ＭＰＵ３１からユーザーコメントの書き換えの信号を受信したか否かを判断し、Ｙｅｓの場合はステップＳ１３へ進み、Ｎｏの場合はステップＳ１１へ戻る。このステップＳ１２では、ＭＰＵ３１から、ユーザーコメントとしての文字情報（そのデータ）（図４のフローチャートのステップＳ２、ステップＳ４またはステップＳ８参照）、すなわち本体メモリ３４に格納された本体カレンダ情報（図６の符号Ｃｍ参照）または初期状態表示情報（図６の符号Ｂｓ参照）を受信すると、ユーザーコメントの書き換えの信号を受信したものと判断する。
【００５９】
ステップＳ１３では、ステップＳ１２でのＭＰＵ３１からユーザーコメントの書き換えの信号を受信したとの判断に続き、ＭＰＵ３１から受け取った文字情報をユーザーコメント情報として登録し、ステップＳ１１へ戻る。このステップＳ１３では、ＭＰＵ３１から文字情報を受信すると（図６の符号Ｃｍおよび符号Ｂｓ参照）、その文字情報を新たなユーザーコメント情報として登録すべくカメラメモリ４４に格納する。このＭＰＵ３１から送信される文字情報は、送信される本体カレンダ情報（図４のステップＳ２およびステップＳ４参照）、または初期状態表示情報Ｂｓ（図４のステップＳ４およびステップＳ８参照）である。このとき、本実施例では、ユーザーコメント情報Ｉｕとしての文字情報がカメラメモリ４４に既に格納されている場合、その文字情報に新たな文字情報を上書きする。このため、上述したＭＰＵ３１との協働により、カメラメモリ４４には、蛍光撮影モードの場合、その蛍光撮影動作が開始された時点での本体カレンダ情報（図６の符号Ｃｍ参照）が格納され、通常撮影モードの場合もしくは蛍光撮影のための計時が終了している場合、初期状態表示情報（図６の符号Ｂｓ参照）が格納されている。
【００６０】
ステップＳ１４では、ステップＳ１１での撮影実行信号を受信したとの判断に続き、眼底の撮影を実行し、ステップＳ１５へ進む。このステップＳ１４では、撮影実行信号を受信したことから、図示を略す撮影のための各種の回路構成要素等（撮影機能部）を駆動させて、眼底の撮影を実行し、撮像用受光素子４３からの被写体像の電気信号に基づく画像データ（図３の符号Ｄｐ参照）を保存する画像ファイル（図３の符号Ｆｐ参照）を生成する。このとき、生成する画像ファイルには、付属情報として、撮影実行信号を受信した時点でのカメラカレンダ機能部４２のカメラカレンダ情報を撮影日時情報（図３の符号Ｉｔ参照）として記述するとともに、登録された文字情報をカメラメモリ４４から読み出してユーザーコメント情報（図３の符号Ｉｕ参照）として記述する。このステップＳ１４では、撮影モードに拘らず眼底の撮影を実行するものであるが、蛍光撮影モードにおいてＭＰＵ３１から撮影実行信号を受信すると、眼科装置本体１３内での撮影光学系（図示せず）の作用により蛍光撮影を実行することとなり、通常撮影モードにおいてＭＰＵ３１から撮影実行信号を受信すると、眼科装置本体１３内での撮影光学系（図示せず）の作用により通常の眼底撮影を実行することとなる。また、ステップＳ１４では、撮影モードに拘らず撮影の実行に伴って画像ファイルＦｐを生成するものであるが、蛍光撮影モードの場合、カメラメモリ４４に格納した文字情報が本体カレンダ情報（図６の符号Ｃｍ参照）であることから（ステップＳ１３参照）、ユーザーコメント情報Ｉｕとして本体カレンダ情報を記述した画像ファイルＦｐを生成する。さらに、ステップＳ１４では、通常撮影モードの場合もしくは蛍光撮影のための計時が終了している場合、カメラメモリ４４に格納した文字情報が初期状態表示情報（図６の符号Ｂｓ参照）であることから（ステップＳ１３参照）、ユーザーコメント情報Ｉｕとして初期状態表示情報を記述した画像ファイルＦｐを生成する。
【００６１】
ステップＳ１５では、ステップＳ１４での眼底の撮影の実行に続き、そのとき生成した画像ファイルをＳＤカード４５に格納し、ステップＳ１１へ戻る。このステップＳ１５では、ステップＳ１４で生成した画像データ（図３の符号Ｄｐ参照）に付属情報として撮影日時情報（図３の符号Ｉｔ参照）とユーザーコメント情報（図３の符号Ｉｕ参照）とが記述された画像ファイル（図３の符号Ｆｐ参照）を、ＳＤカード４５に格納する。
【００６２】
次に、作用について説明する。
【００６３】
実施例１の眼科装置１０による蛍光撮影動作における作用を図６を用いて説明する。この図６は、眼科装置１０による蛍光撮影動作における動作の概念を時系列で示す説明図である。なお、図６における各カレンダ情報として記載された時刻表示は、理解容易とするための例示であって、実際に要する時間と一致するものではない。また、図６では、本体カレンダ情報Ｃｍ、カメラカレンダ情報Ｃｃ、画像ファイルＦｐ、ＭＰＵ３１から送信されるデータＤおよび画像データＤｐに関しては、理解容易のために、符号の末尾に時刻ｔに対応した数字を付して示している。
【００６４】
先ず、蛍光撮影動作を行うべく、眼科装置１０の電源が入れられる（時刻ｔ０）。この時点において、眼科装置本体１３側の本体カレンダ機能部３２における本体カレンダ情報Ｃｍ０が指し示す時刻と、撮影用ＣＣＤカメラ１６側のカメラカレンダ機能部４２におけるカメラカレンダ情報Ｃｃ０が指し示す時刻と、は、互いにずれが生じている場合がある。このため、電源が入れられると、ＭＰＵ３１は、眼科装置本体１３側の本体カレンダ機能部３２と、撮影用ＣＣＤカメラ１６側のカメラカレンダ機能部４２と、の時刻合わせを行う。
【００６５】
詳細には、上述したように、電源が入れられる（時刻ｔ０）と、ＭＰＵ３１がカメラＣＰＵ４１に向けてその時点における本体カレンダ機能部３２の本体カレンダ情報Ｃｍ０であるデータＤ０を送信する。ＭＰＵ３１からデータＤ０を受信したカメラＣＰＵ４１は、その本体カレンダ情報Ｃｍ０に基づいて、当該本体カレンダ機能部３２の時刻に一致させるように、カメラカレンダ機能部４２のカメラカレンダ情報Ｃｃ０の時刻を修正する。この時刻合わせが終了することにより（時刻ｔ０）、眼科装置本体１３側の本体カレンダ機能部３２における本体カレンダ情報Ｃｍが指し示す時刻と、撮影用ＣＣＤカメラ１６側のカメラカレンダ機能部４２におけるカメラカレンダ情報Ｃｃが指し示す時刻と、が一致したものとなる（図６では、理解容易のために、時刻ｔ０におけるカメラＣＰＵ４１でのデータ（カメラカレンダ情報Ｃｃ０等）を縦に２つ並べて記載している）。
【００６６】
ここで、上記した電源が入れられてから時刻合わせが終了するまでの間では、ユーザーコメント情報Ｉｕとして初期状態表示情報Ｂｓが登録されている。これは、以前に蛍光撮影動作が実行されていることに伴って、蛍光撮影のための計時の終了の際のＭＰＵ３１の動作により初期状態表示情報ＢｓがカメラＣＰＵ４１へと送信され（図４のステップＳ４参照）、この初期状態表示情報Ｂｓがカメラメモリ４４に格納されていることによる（図５のステップＳ１３参照）。
【００６７】
その後、検者によりタイマースイッチ１７がＯＮ状態とされる（押圧される）と（時刻ｔ１）、ＭＰＵ３１では、ステップＳ１→ステップＳ２へと進んで、押圧時点（時刻ｔ１）でのカメラカレンダ機能部４２における本体カレンダ情報Ｃｍ１を本体メモリ３４に格納し、その本体カレンダ情報Ｃｍ１をデータＤ１としてカメラＣＰＵ４１へと送信する。この本体メモリ３４に格納された本体カレンダ情報Ｃｍ１は、蛍光撮影のための計時の終了の合図があるまで維持される（ステップＳ３→ステップＳ４参照）。
【００６８】
その後、カメラＣＰＵ４１では、ＭＰＵ３１から送信されたデータＤ１を取得すると（時刻ｔ１）、ステップＳ１１→ステップＳ１２→ステップＳ１３へと進んで、その本体カレンダ情報Ｃｍ１を、文字情報としてのユーザーコメント情報Ｉｕとして登録すべくカメラメモリ４４に格納する（図６では、理解容易のために、時刻ｔ１におけるカメラＣＰＵ４１でのデータ（カメラカレンダ情報Ｃｃ１等）を縦に２つ並べて記載している）。
【００６９】
その後、検者により撮影スイッチ１９がＯＮ状態とされる（押圧される）と（時刻ｔ２）、ＭＰＵ３１では、ステップＳ３→ステップＳ５→ステップＳ６へと進んで、撮影実行信号ＳｐをカメラＣＰＵ４１へ向けて送信する。すると、カメラＣＰＵ４１では、撮影実行信号Ｓｐを受信することにより、ステップＳ１１→ステップＳ１４→ステップＳ１５へと進んで、眼底の撮影を実行して眼底画像の画像データＤｐ２（蛍光眼底画像）を取得し、その画像データＤｐ２に付属情報として撮影日時情報Ｉｔ（カメラカレンダ情報Ｃｃ２）とユーザーコメント情報Ｉｕ（本体カレンダ情報Ｃｍ１）とを記述した画像ファイルＦｐ２を生成し、その画像ファイルＦｐ２をＳＤカード４５に格納する。
【００７０】
その後、検者により切替スイッチ２０がＯＮ状態とされ(押圧され)て蛍光撮影モードから通常撮影モードへと切り替えられる（時刻ｔ３）と、ＭＰＵ３１では、ステップＳ７→ステップＳ８へと進んで、カメラＣＰＵ４１へ向けて初期状態表示情報ＢｓであるデータＤ３を送信し、カメラＣＰＵ４１では、ＭＰＵ３１から送信されたデータＤ３を取得すると、ステップＳ１１→ステップＳ１２→ステップＳ１３へと進んで、その初期状態表示情報Ｂｓを、文字情報としてのユーザーコメント情報Ｉｕとして登録すべくカメラメモリ４４に格納する。
【００７１】
その後、検者により撮影スイッチ１９がＯＮ状態とされる（押圧される）と（時刻ｔ４）、ＭＰＵ３１では、ステップＳ１へと戻りステップＳ１→ステップＳ３→ステップＳ５→ステップＳ６へと進んで、カメラＣＰＵ４１へと撮影実行信号Ｓｐを送信し、カメラＣＰＵ４１では、ステップＳ１１へと戻りステップＳ１１→ステップＳ１４→ステップＳ１５へと進んで、眼底の撮影を実行して眼底画像の画像データＤｐ４（通常の眼底画像）を取得し、その画像データＤｐ４に付属情報として撮影日時情報Ｉｔ（カメラカレンダ情報Ｃｃ４）を記述しかつユーザーコメント情報Ｉｕとしてカメラメモリ４４に格納されている初期状態表示情報Ｂｓを記述した画像ファイルＦｐ４を生成し、その画像ファイルＦｐ４をＳＤカード４５に格納する。
【００７２】
その後、検者により切替スイッチ２０がＯＮ状態とされ(押圧され)て通常撮影モードから蛍光撮影モードへと切り替えられる（時刻ｔ５）と、ＭＰＵ３１では、ステップＳ７→ステップＳ８へと進んで、カメラＣＰＵ４１へ向けて本体メモリ３４に格納している本体カレンダ情報Ｃｍ１であるデータＤ５を送信する。カメラＣＰＵ４１では、ＭＰＵ３１から送信されたデータＤ５を取得すると、ステップＳ１１→ステップＳ１２→ステップＳ１３へと進んで、その本体カレンダ情報Ｃｍ１を、文字情報としてのユーザーコメント情報Ｉｕとして登録すべくカメラメモリ４４に格納する。このため、カメラＣＰＵ４１が以降に生成する画像ファイルにおいては、ユーザーコメント情報Ｉｕとしてカメラメモリ４４に格納された文字情報である本体カレンダ情報Ｃｍ１をユーザーコメント情報Ｉｕとして記述することとなる。この時刻ｔ５において本体メモリ３４に格納されている本体カレンダ情報は、蛍光撮影のための計時の開始の合図があった時点（この例では時刻ｔ１）における本体カレンダ機能部３２の本体カレンダ情報Ｃｍ１であることから、今回実行している蛍光撮影動作における計時の開始時点を表すものである。
【００７３】
その後、同様に、検者により撮影スイッチ１９がＯＮ状態とされる（押圧される）と（時刻ｔ６）、ＭＰＵ３１では、ステップＳ１へと戻りステップＳ１→ステップＳ３→ステップＳ５→ステップＳ６へと進んで、カメラＣＰＵ４１へと撮影実行信号Ｓｐを送信し、カメラＣＰＵ４１では、ステップＳ１１へと戻りステップＳ１１→ステップＳ１４→ステップＳ１５へと進んで、眼底の撮影を実行して眼底画像の画像データＤｐ６（蛍光眼底画像）を取得し、その画像データＤｐ６に付属情報として撮影日時情報Ｉｔ（カメラカレンダ情報Ｃｃ６）とユーザーコメント情報Ｉｕ（本体カレンダ情報Ｃｍ１）とを記述した画像ファイルＦｐ６を生成し、その画像ファイルＦｐ６をＳＤカード４５に格納する。
【００７４】
この蛍光撮影（その間の切替による眼底撮影を含む）の実行は、検者によりタイマースイッチ１７がＯＮ状態とされる（押圧される）、すなわち蛍光撮影のための計時の終了の合図が出されるまで（蛍光撮影動作が継続されている間）に、撮影スイッチ１９がＯＮ状態とされる（押圧される）回数に応じて複数回繰り返され、その回数に応じた数だけユーザーコメント情報Ｉｕとして本体カレンダ情報Ｃｍ１を記述した画像ファイルＦｐを生成してＳＤカード４５に格納される。このとき、切替スイッチ２０により通常撮影モードとされている間は、時刻ｔ３〜時刻ｔ４と同様に、通常の眼底撮影画像にその撮影時間が撮影日時情報Ｉｔとして記述され、かつユーザーコメント情報Ｉｕとして初期状態表示情報Ｂｓを記述した画像ファイルＦｐを生成する。
【００７５】
その蛍光撮影動作（その間の切替による眼底撮影を含む）の間に検者によりタイマースイッチ１７がＯＮ状態とされる（押圧される）と（時刻ｔ７）、ＭＰＵ３１では、ステップＳ３→ステップＳ４へと進んで、カメラＣＰＵ４１へ向けて初期状態表示情報ＢｓをであるデータＤ７を送信するとともに、本体メモリ３４に格納してある本体カレンダ情報Ｃｍ１を削除する。カメラＣＰＵ４１では、ＭＰＵ３１から送信されたデータＤ７を取得すると、ステップＳ１１→ステップＳ１２→ステップＳ１３へと進んで、その初期状態表示情報Ｂｓを、文字情報としてのユーザーコメント情報Ｉｕとして登録すべくカメラメモリ４４に格納する（図６では、理解容易のために、時刻ｔ７におけるカメラＣＰＵ４１でのデータ（カメラカレンダ情報Ｃｃ７等）を縦に２つ並べて記載している）。このため、カメラＣＰＵ４１が以降に生成する画像ファイルにおいては、ユーザーコメント情報Ｉｕとしてカメラメモリ４４に格納された文字情報である初期状態表示情報Ｂｓをユーザーコメント情報Ｉｕとして記述することとなる。
【００７６】
上記したように、眼科装置１０では、単体でカメラとして機能する外付けカメラであって、生成した画像ファイルＦｐを外部挿入型の記憶媒体であるＳＤカード４５（内蔵記憶部）に格納する撮影用ＣＣＤカメラ１６により眼底の撮影を行うものであっても、そのＳＤカード４５に格納した各画像ファイルＦｐでは画像データＤｐに付属情報としてカメラカレンダ情報Ｃｃに基づく撮影日時情報Ｉｔと、蛍光撮影動作開始時点での本体カレンダ情報Ｃｍに基づくユーザーコメント情報Ｉｕと、を記述することができる。このため、ＳＤカード４５に格納された各画像ファイルＦｐの画像データＤｐでは、撮影日時情報Ｉｔが指し示す時刻と、ユーザーコメント情報Ｉｕとして記載された蛍光撮影動作開始時点での本体カレンダ情報Ｃｍが指し示す時刻と、の差に基づいて、画像を取得した際の被検者に蛍光剤を投与（例えば静注）した時点からの経過時間の情報を得ることができる。すなわち、蛍光撮影動作が終了した後にＳＤカード４５に格納された各画像データＤｐにおいて眼底画像と経過時間との対応付けのために各画像ファイルを編集する等の作業を行うことなく、各画像データＤｐにおける適切な経過時間情報を把握することができるので、煩雑となる対応付けの編集作業をなくすことができる。
【００７７】
ここで、蛍光撮影を実行する度に、すなわち撮影スイッチ１９がＯＮ状態とされる度に、ＭＰＵ３１からカメラＣＰＵ４１へと、撮影実行信号Ｓｐと一緒に本体カレンダ機能部３２の本体カレンダ情報（もしくは経過時間情報）を送信する構成とすることが考えられる。しかしながら、眼科装置１０では、単体でカメラとして機能する撮影用ＣＣＤカメラ１６（カメラ本体）を眼科装置本体１３に装着するものであることから、その撮影用ＣＣＤカメラ１６（カメラＣＰＵ４１）と眼科装置本体（ＭＰＵ３１）とがインターフェースモジュール３５により情報の遣り取りを行う構成とされているので、撮影用ＣＣＤカメラ１６（カメラＣＰＵ４１）において、ＭＰＵ３１からの撮影実行信号Ｓｐを受信することによる撮影動作に伴う画像ファイルの生成処理と、本体カレンダ情報（経過時間情報）が伝送されることによる当該経過時間情報を画像ファイルに記述するための準備処理とは、別個に行われるものとなる。このことから、検者による撮影の合図（撮影スイッチ１９がＯＮ状態とされる）に合わせて、ＭＰＵ３１がカメラＣＰＵ４１へと撮影実行信号Ｓｐを送信してから本体カレンダ情報（経過時間情報）を送信して、撮影用ＣＣＤカメラ１６に画像データを取得させて画像ファイルを生成させる構成とすると、撮影の合図が出されるとすぐに（略同時に）眼底画像を取得することができることから、検者が指定した適切な経過時間での眼底画像を得ることはできるが、カメラＣＰＵ４１が当該眼底の画像データの保存のための画像ファイルを生成する際には本体カレンダ情報（経過時間情報）を画像ファイルに記述するための準備処理が完了していないので、当該画像ファイルに当該経過時間情報を記述することができない。他方、検者による撮影の合図を受けると、先ず本体カレンダ情報（経過時間情報）をカメラＣＰＵ４１へと伝送してから、撮影実行信号Ｓｐを送信する構成とすると、撮影用ＣＣＤカメラ１６（カメラＣＰＵ４１）では、本体カレンダ情報（経過時間情報）を画像ファイルに記述するための準備処理が完了してから眼底画像を取得することとなるので、検者が指定した適切な経過時間での眼底画像を得ることができなくなってしまう。
【００７８】
これに対し、本願発明に係る眼科装置１０では、蛍光剤を投与（例えば静注）した時点でタイマースイッチ１７がＯＮ状態とされる（押圧される）ことにより、その時点を蛍光撮影動作の開始時点（蛍光撮影のための計時の開始時点）とすべく、本体カレンダ情報ＣｍをＭＰＵ３１がカメラＣＰＵ４１へと送信し、カメラＣＰＵ４１において当該本体カレンダ情報Ｃｍを文字情報のユーザーコメント情報Ｉｕとしてカメラメモリ４４に格納しておく。すなわち、撮影用ＣＣＤカメラ１６（カメラＣＰＵ４１）では、本体カレンダ情報（経過時間情報）を画像ファイルに記述するための準備処理を完了する。その後、検者による撮影の合図（撮影スイッチ１９がＯＮ状態とされる）が為されると、カメラＣＰＵ４１がＭＰＵ３１から撮影実行信号Ｓｐを受信することにより撮影用ＣＣＤカメラ１６で画像データＤｐを取得して画像ファイルＦｐを生成し、その画像ファイルＦｐに付属情報として撮影用ＣＣＤカメラ１６に内蔵されたカメラカレンダ機能部４２およびカメラメモリ４４から取得した情報を記述するものであることから、検者の指定した適切な経過時間での眼底画像Ｐｆを得ることができ、かつその眼底画像Ｐｆの画像データＤｐの保存のための画像ファイルＦｐに撮影用ＣＣＤカメラ１６内での処理のみで撮影日時情報Ｉｔおよび撮影動作開始時刻の情報（ユーザーコメント情報Ｉｕ）を記述することができる。このため、撮影用ＣＣＤカメラ１６に挿入されたＳＤカード４５（内蔵記憶部）に格納する画像ファイルＦｐに、眼底画像Ｐｆの画像データＤｐに対応する適切な経過時間情報を記述することができる。換言すると、本発明に係る眼科装置１０では、画像ファイルＦｐにおける画像データＤｐに適切な経過時間情報を対応付けるための外部機器（パソコン等）を設ける必要がなく、簡易な構成とすることができる。
【００７９】
また、眼科装置１０では、記憶媒体（ＳＤカード４５）に格納された画像ファイルＦｐの画像データＤｐに基づく眼底画像Ｐｆに、当該画像ファイルＦｐに記述された撮影日時情報Ｉｔとユーザーコメント情報Ｉｕとを重ねて、観察モニタ２２に表示させることができる（図７（ａ）参照）。この一例として、図７（ａ）に、図６の画像ファイルＦｐ２に基づく眼底画像Ｐｆに、その撮影日時情報Ｉｔ（カメラカレンダ情報Ｃｃ２）およびユーザーコメント情報Ｉｕ（本体カレンダ情報Ｃｍ１）が重ねられて観察モニタ２２に表示された様子を示す。このように、観察モニタ２２には、眼底画像Ｐｆが表示される際、その眼底画像Ｐｆを取得した時点を示す撮影日時情報Ｉｔと、その眼底画像Ｐｆの撮影のための蛍光撮影動作が開始された時点を示すユーザーコメント情報Ｉｕと、が重ねて表示されるので、検者は、各画像ファイルＦｐに何らの編集を施すことなく眼底画像Ｐｆとその経過時間情報とを把握することができる。
【００８０】
さらに、ＳＤカード４５（内蔵記憶部としての外部挿入型の記憶媒体）に格納された各画像データＤｐにおいて、画像を取得した際の被検者に蛍光剤を投与（例えば静注）した時点からの経過時間（実際にはタイマースイッチ１７が押圧操作された時点からの経過時間）の情報を得ることが可能とされている（経過時間情報が対応付けられている）ことから、眼科装置１０からＳＤカード４５を抜き出し、そのＳＤカード４５の各画像ファイルＦｐに何らの編集を施すことなく眼科装置１０とは別の表示装置（図示せず）にＳＤカード４５に格納された各画像データＤｐに基づく眼底画像Ｐｆを表示させた場合であっても、その経過時間情報を認識することができる。このとき、当該別の表示装置に、ＳＤカード４５に格納された画像ファイルＦｐの画像データＤｐに基づく眼底画像Ｐｆを表示させる際、当該眼底画像Ｐｆにその画像ファイルＦｐに記述された撮影日時情報Ｉｔとユーザーコメント情報Ｉｕとを重ねて表示させるためのプログラムを組み込むことにより、当該眼底画像Ｐｆが表示された表示画面を見るだけで、その眼底画像Ｐｆにおける経過時間情報を認識させることができる。
【００８１】
蛍光撮影動作を終了すべく検者により撮影動作の合図が為される（タイマースイッチ１７がＯＮ状態とされる）と、初期状態表示情報Ｂｓ（そのデータ）（図６参照）が、ＭＰＵ３１からカメラＣＰＵ４１へと送信され、それを受信（取得）したカメラＣＰＵ４１では、ユーザーコメント情報Ｉｕとして登録すべくカメラメモリ４４に初期状態表示情報Ｂｓを格納するので、他の撮影を行う際に、当該他の撮影の画像データの保存のための画像ファイルに、ユーザーコメント情報としてそれ以前に行われた蛍光撮影動作の開始の時点での本体カレンダ情報が記述されることを防止することができる。
【００８２】
蛍光撮影動作を開始すると、その開始時点での本体カレンダ情報Ｃｍが文字情報のユーザーコメント情報Ｉｕとしてカメラメモリ４４に格納され、蛍光撮影動作が終了すると、初期状態表示情報Ｂｓが文字情報のユーザーコメント情報Ｉｕとしてカメラメモリ４４に格納され、再び蛍光撮影動作を開始すると、その開始時点での本体カレンダ情報Ｃｍが文字情報のユーザーコメント情報Ｉｕとしてカメラメモリ４４に格納されることから、蛍光撮影動作を開始する度にユーザーコメント情報Ｉｕがリセットされるので、画像データに適切な経過時間情報を対応付けることができる。
【００８３】
蛍光撮影動作を継続している間であっても、切替スイッチ２０により撮影モードを切り替えることができるので、通常の眼底撮影を行うことができる。このとき、通常の眼底撮影により生成された画像ファイルには、継続している蛍光撮影動作での経過時間情報がユーザーコメント情報Ｉｕとして記述されることはないので、蛍光撮影画像を取り違えることを確実に防止することができる。また、蛍光撮影動作を終了することなく、通常撮影モードに切り替えられた後に、再び蛍光撮影モードとされた場合、ＭＰＵ３１が本体メモリ３４に格納してある当該蛍光撮影動作（継続している蛍光撮影動作）の開始時点での本体カレンダ情報ＣｍをカメラＣＰＵ４１へと送信し、カメラＣＰＵ４１が取得した当該本体カレンダ情報Ｃｍをカメラメモリ４４に格納するため、生成される画像ファイルでは、当該蛍光撮影動作（継続している蛍光撮影動作）の開始時点での本体カレンダ情報Ｃｍがユーザーコメント情報Ｉｕとして記述されるので、途中で通常撮影モードに切り替えた場合であっても、蛍光撮影としての各眼底画像における正確な経過時間情報を得ることができる。
【００８４】
タイマースイッチ１７とは別に、終了の合図のための終了スイッチを設ける構成とすると、検者が前回の蛍光撮影動作の終了（蛍光撮影のための計時の終了）の際に当該終了スイッチを押し忘れた場合であっても、次の蛍光撮影動作の開始（蛍光撮影のための計時の開始）の際にタイマースイッチ１７を押せば、当該蛍光撮影動作による画像ファイルには適切な経過時間情報を記述することができる。
【００８５】
したがって、本発明に係る眼科装置１０では、単体でカメラとして機能する撮影用ＣＣＤカメラ１６（カメラ本体）が眼科装置本体１３に装着されて構成されたものであって、撮影用ＣＣＤカメラ１６（カメラ本体）から外部（眼科装置本体１３または他の情報処理装置（パソコン等））へと画像ファイルＦｐを伝送することなく、撮影用ＣＣＤカメラ１６（カメラ本体）に挿入されたＳＤカード４５（内蔵された内蔵記憶部）に格納する画像ファイルＦｐにおける画像データＤｐに経過時間情報を対応付けることができる。
【００８６】
なお、上記した実施例では、ＭＰＵ３１は、画像ファイルＦｐの画像データＤｐに基づく眼底画像Ｐｆに、当該画像ファイルＦｐに記述された撮影日時情報Ｉｔとユーザーコメント情報Ｉｕとを重ねて、観察モニタ２２に表示させる構成とされていたが、図７（ｂ）に示すように、撮影日時情報Ｉｔおよびユーザーコメント情報Ｉｕの表示に代えて、眼底画像Ｐｆに重ねて経過時間情報Ｉｐを表示させるものとすることができる。この図７（ｂ）は、図７（ａ）と同様に、図６の画像ファイルＦｐ２に基づいて眼底画像Ｐｆに、経過時間情報Ｉｐが重ねられて観察モニタ２２に表示された様子を示すものである。この場合、例えば、ＭＰＵ３１は、蛍光撮影動作開始時点での本体カレンダ情報Ｃｍにより生成された文字情報としてのユーザーコメント情報Ｉｕに基づいて、当該本体カレンダ情報Ｃｍが指し示す時刻を取得するとともに、撮影日時情報Ｉｔが指し示す時刻を取得して、両時刻の差に基づいて経過時間情報Ｉｐを生成するものとすればよい。このように構成すると、眼底画像Ｐｆが表示された観察モニタ２２を見ることによる、その経過時間の把握をより容易なものとすることができる。この眼底画像Ｐｆに重ねて経過時間情報Ｉｐを表示させるものとすることは、眼科装置１０とは別の表示装置に表示する場合であっても同様である。
【００８７】
また、上記した実施例では、単体でカメラとして機能するカメラ本体としてＳＤカード４５の挿入が可能とされた撮影用ＣＣＤカメラ１６が用いられていたが、撮影動作により画像データを生成する際、その画像データに対応させた撮影日時情報および任意の文字情報の付属情報データを生成するもの（上記した実施例１に合わせると、生成する画像データに合わせて撮影日時情報および任意の文字情報を付属情報として記述できる画像ファイルを記録可能なフォーマットを採用するもの）であって、生成した画像データおよびそれに対応する付属情報データ（上記した実施例１に合わせると、画像ファイル）を内蔵記憶部（実施例のＳＤカード４５のような外部挿入型の記憶媒体を含む）に格納するものであればよく、上記した実施例に限定されるものではない。
【００８８】
さらに、上記した実施例では、電源が入れられると、ＭＰＵ３１が本体カレンダ機能部３２の本体カレンダ情報をカメラＣＰＵ４１へと送信し、カメラＣＰＵ４１が、本体カレンダ機能部３２の時刻に一致させるように、受け取った本体カレンダ情報に基づいてカメラカレンダ機能部４２のカメラカレンダ情報の時刻を修正する構成とされていたが、蛍光撮影動作を開始する前に、眼科装置本体１３側の本体カレンダ機能部３２と、撮影用ＣＣＤカメラ１６側のカメラカレンダ機能部４２と、の時刻合わせを行うものであればよく、上記した実施例に限定されるものではない。ここで、ＭＰＵ３１とカメラＣＰＵ４１との間における本体カレンダ情報の遣り取り（伝送）に時間を要し、送信した時点と受け取った時点との時間差が問題となるような場合、以下のように時刻合わせを行うものとしてもよい。図８に示すように、電源が入れられると（時刻ｔ０´）、ＭＰＵ３１は、撮影用ＣＣＤカメラ１６のカメラカレンダ機能部４２のカメラカレンダ情報を要求するカレンダ情報要求信号Ｓｒを、カメラＣＰＵ４１に向けて送信するとともに、そのカレンダ情報要求信号Ｓｒを送信した時点での本体カレンダ機能部３２の本体カレンダ情報Ｃｍ０を記憶しておく。この本体カレンダ情報の記憶は、例えば、本体メモリ３４に格納することにより行う。カメラＣＰＵ４１は、ＭＰＵ３１からカレンダ情報要求信号Ｓｒを受信すると、カレンダ情報要求信号を受信した時点におけるカメラカレンダ機能部４２のカメラカレンダ情報Ｃｃ０をデータＤ０´としてＭＰＵ３１へ向けて送信する。ここで、ＭＰＵ３１とカメラＣＰＵ４１とは、カレンダ情報の伝送に時間が要するもの（例えば、インターフェースモジュール３５を介して情報の遣り取りに基因する等）とされているが、カレンダ情報等を伝送することとは異なり信号の伝送に要する時間は極めて小さなものであるため、カメラＣＰＵ４１がカレンダ情報要求信号Ｓｒを受信した時点は、ＭＰＵ３１が当該カレンダ情報要求信号Ｓｒを送信した時点と等しいものと扱うことができる。ＭＰＵ３１は、カメラＣＰＵ４１からカメラカレンダ機能部４２のカメラカレンダ情報Ｃｃ０を受け取ると（時刻ｔ１´）、そのカメラカレンダ情報（の指し示す時刻）と、記憶してあるカレンダ情報要求信号Ｓｒを送信した時点での本体カレンダ機能部３２の本体カレンダ情報Ｃｍ０（の指し示す時刻）との差分に基づいて、カメラカレンダ機能部４２の時刻に一致させるように、本体カレンダ機能部３２の時刻を修正する（時刻ｔ２´）。これにより、カメラカレンダ機能部４２と本体カレンダ機能部３２との時刻合わせを行うことができる。
【００８９】
上記した実施例では、操作部３３としてタイマースイッチ１７と撮影スイッチ１９と切替スイッチ２０とを用いる構成とされていたが、撮影動作の開始（終了）の合図のための操作と、撮影実行の合図のための操作と、撮影モードの切り替えのための操作と、を行うことができるものであれば、例えば、所定の設定、指示、データ等の各種入力信号を入力するための、スイッチ、ボタン、キーボード等であってもよく、観察モニタ２２に表示されたボタン、アイコン、位置、領域等を支持するためのポインティングデバイス等であってもよく、上記した実施例に限定されるものではない。
【００９０】
上記した実施例では、Ｅｘｉｆの規格が採用された画像ファイルＦｐの付属情報（実施例１では撮影日時情報Ｉｔおよびユーザーコメント情報Ｉｕ）に経過時間情報を記述する構成とされていたが、単体でカメラとして機能するカメラ本体（実施例１では撮影用ＣＣＤカメラ１６）のカメラ制御部（実施例１ではカメラＣＰＵ４１）において、撮影動作により画像データを生成する際、その画像データに対応させた撮影日時情報および任意の文字情報の付属情報データを生成するもの(例えば、画像データの画像ファイルを生成するとともに、当該画像ファイルとは別に付属情報データのためのファイルを当該画像ファイルに対応付けて生成する等)であればよく、上記した実施例に限定されるものではない。このような構成である場合、単体でカメラとして機能する外付けカメラであって、生成した画像データおよび付属情報データを外部挿入型の記憶媒体であるＳＤカード４５（内蔵記憶部）に格納する撮影用ＣＣＤカメラ１６により眼底の撮影を行うものであっても、そのＳＤカード４５に格納した各画像データでは付属情報としての付属情報データが対応付けられているので、カメラ本体から外部へと画像ファイルを伝送することなく、カメラ本体に内蔵された内蔵記憶部に格納する画像データに経過時間情報を対応付けることができる。
【符号の説明】
【００９１】
１０  眼科装置
１３  眼科装置本体
１６  （本体カメラとしての）撮影用ＣＣＤカメラ
１７  （撮影動作開始操作部および撮影動作終了操作部としての）タイマースイッチ
１９  （撮影実行操作部としての）撮影スイッチ
３１  （本体制御部としての）ＭＰＵ
３２  本体カレンダ機能部
４１  （カメラ制御部としての）カメラＣＰＵ
４２  カメラカレンダ機能部
４３  （撮影機能部の一部としての）撮影用受光素子
４５  （内蔵記憶部としての）ＳＤカード
Ｃｃ  カメラカレンダ情報
Ｃｍ  本体カレンダ情報
Ｄｐ  画像データ
Ｅ  被検眼
Ｆｐ  画像ファイル
Ｉｔ  撮影日時情報
Ｉｕ  （任意の文字情報としての）ユーザーコメント情報
Ｐｆ  眼底画像
Ｓｐ  撮影実行信号
Ｂｓ  初期状態表示情報
【図１】
2011083507.tif 000003
【図２】
2011083507.tif 000004
【図３】
2011083507.tif 000005
【図４】
2011083507.tif 000006
【図５】
2011083507.tif 000007
【図６】
2011083507.tif 000008
【図７】
2011083507.tif 000009
【図８】
2011083507.tif 000010